(57)【要約】【課題】店舗の状況を容易に把握することが可能な画像表示装置を提供する。【解決手段】店舗選択部１０２は、撮像装置が設置された複数の店舗の中から第１の店舗を選択する。識別子選択部１０３は、複数の店舗毎に絶対時刻が対応付けられた複数の時刻識別子の中から第１の時刻識別子を選択する。画像表示部１０５は、第１の時刻識別子に対応付けられた絶対時刻のうち第１の店舗に対応付けられた絶対時刻における第１の店舗の撮像画像を表示する。【選択図】図３
2019134365.tif 000002
【特許請求の範囲】
【請求項１】
撮像装置が設置された複数の店舗の中から第１の店舗を選択する店舗選択手段と、
前記複数の店舗毎に絶対時刻が対応付けられた複数の時刻識別子の中から第１の時刻識別子を選択する識別子選択手段と、
前記第１の時刻識別子に対応付けられた絶対時刻のうち前記第１の店舗に対応付けられた絶対時刻における前記第１の店舗の撮像画像を表示する画像表示手段と、を備える、
画像表示装置。
【請求項２】
前記複数の時刻識別子には、開店時刻を示す識別子と、混雑ピーク時刻を示す識別子と、閉店時刻を示す識別子と、開店時刻、混雑ピーク時刻、又は閉店時刻から予め定められた時間遡った時刻又は経過した時刻を示す識別子と、のうちの少なくとも１つの識別子が含まれる、
請求項１に記載の画像表示装置。
【請求項３】
前記店舗選択手段は、前記複数の店舗の中から第２の店舗を更に選択し、
前記画像表示手段は、前記第１の時刻識別子に対応付けられた絶対時刻のうち前記第１の店舗に対応付けられた絶対時刻における前記第１の店舗の撮像画像と、前記第１の時刻識別子に対応付けられた絶対時刻のうち前記第２の店舗に対応付けられた絶対時刻における前記第２の店舗の撮像画像とを、画面内に同時に表示する、
請求項１又は２に記載の画像表示装置。
【請求項４】
前記識別子選択手段は、前記複数の時刻識別子の中から第２の時刻識別子を更に選択し、
前記画像表示手段は、前記第１の時刻識別子に対応付けられた絶対時刻のうち前記第１の店舗に対応付けられた絶対時刻における前記第１の店舗の撮像画像と、前記第２の時刻識別子に対応付けられた絶対時刻のうち前記第１の店舗に対応付けられた絶対時刻における前記第１の店舗の撮像画像とを、画面内に同時に表示する、
請求項１又は２に記載の画像表示装置。
【請求項５】
前記画像表示手段により前記画面内に同時に表示された複数の撮像画像のうち第１の撮像画像に対する回転操作を受け付ける操作受付手段を更に備え、
前記画像表示手段は、前記操作受付手段により前記回転操作が受け付けられた場合、前記画面内において、前記第１の撮像画像を回転させる、
請求項３又は４に記載の画像表示装置。
【請求項６】
撮像装置が設置された店舗に関する複数の撮像画像を、画面内に同時に表示する画像表示手段と、
前記画像表示手段により前記画面内に同時に表示された前記複数の撮像画像のうち第１の撮像画像に対する回転操作を受け付ける操作受付手段と、を備え、
前記画像表示手段は、前記操作受付手段により前記回転操作が受け付けられた場合、前記画面内において、前記第１の撮像画像を回転させる、
画像表示装置。
【請求項７】
撮像装置が設置された複数の店舗毎に絶対時刻が対応付けられた時刻識別子を受け付け、
前記時刻識別子に対応付けられた絶対時刻のうち第１の店舗に対応付けられた絶対時刻における前記第１の店舗の撮像画像を表示する、
画像表示方法。
【請求項８】
コンピュータを、
撮像装置が設置された複数の店舗の中から第１の店舗を選択する店舗選択手段、
前記複数の店舗毎に絶対時刻が対応付けられた複数の時刻識別子の中から第１の時刻識別子を選択する識別子選択手段、
前記第１の時刻識別子に対応付けられた絶対時刻のうち前記第１の店舗に対応付けられた絶対時刻における前記第１の店舗の撮像画像を表示する画像表示手段、として機能させる、
プログラム。
【発明の詳細な説明】
【技術分野】
【０００１】
本発明は、画像表示装置、画像表示方法、および、プログラムに関する。
【背景技術】
【０００２】
現在、店舗に設置された撮像装置から撮像画像を収集し、収集した撮像画像を表示する技術が知られている。このような技術は、例えば、店舗の状況を確認するときに利用することができる。特許文献１には、監視領域毎に画面を分割し、監視領域毎に異なる時刻の動画像を表示する技術が記載されている。
【０００３】
ところで、管理者が、店舗の状況を把握する場合、開店時刻、混雑ピーク時刻、閉店時刻などの注目すべき時刻における撮像画像を確認したり比較したりすることが望ましい。また、店舗内に設置された設備の撮像画像上における位置が統一されている場合、管理者が、店舗の状況を把握しやすくなると考えられる。なお、店舗内に設置された設備は、例えば、出入口やレジカウンターである。
【先行技術文献】
【特許文献】
【０００４】
【特許文献１】特開２００１−３０９３６８号公報
【発明の概要】
【発明が解決しようとする課題】
【０００５】
しかしながら、管理者が注目すべき時刻は、店舗毎に異なることが多い。このため、特許文献１に記載された技術では、店舗毎にこれらの時刻を設定する必要があり非常に面倒であった。また、店舗内における設備の位置と、撮像装置が設置される位置及び角度と、によっては、店舗内に設置された設備の撮像画像上における位置が統一されないことがある。そして、特許文献１に記載された技術では、店舗内に設置された設備の撮像画像上における位置を統一することはできず、管理者は店舗の状況を容易に把握することができなかった。このため、店舗の状況を容易に把握することが可能な画像表示装置が望まれている。
【０００６】
本発明は、上記問題に鑑みてなされたものであり、店舗の状況を容易に把握することが可能な画像表示装置、画像表示方法、および、プログラムを提供することを目的とする。
【課題を解決するための手段】
【０００７】
上記目的を達成するために、本発明の第１の観点に係る画像表示装置は、
撮像装置が設置された複数の店舗の中から第１の店舗を選択する店舗選択手段と、
前記複数の店舗毎に絶対時刻が対応付けられた複数の時刻識別子の中から第１の時刻識別子を選択する識別子選択手段と、
前記第１の時刻識別子に対応付けられた絶対時刻のうち前記第１の店舗に対応付けられた絶対時刻における前記第１の店舗の撮像画像を表示する画像表示手段と、を備える。
【０００８】
前記複数の時刻識別子には、開店時刻を示す識別子と、混雑ピーク時刻を示す識別子と、閉店時刻を示す識別子と、開店時刻、混雑ピーク時刻、又は閉店時刻から予め定められた時間遡った時刻又は経過した時刻を示す識別子と、のうちの少なくとも１つの識別子が含まれてもよい。
【０００９】
前記店舗選択手段は、前記複数の店舗の中から第２の店舗を更に選択し、
前記画像表示手段は、前記第１の時刻識別子に対応付けられた絶対時刻のうち前記第１の店舗に対応付けられた絶対時刻における前記第１の店舗の撮像画像と、前記第１の時刻識別子に対応付けられた絶対時刻のうち前記第２の店舗に対応付けられた絶対時刻における前記第２の店舗の撮像画像とを、画面内に同時に表示してもよい。
【００１０】
前記識別子選択手段は、前記複数の時刻識別子の中から第２の時刻識別子を更に選択し、
前記画像表示手段は、前記第１の時刻識別子に対応付けられた絶対時刻のうち前記第１の店舗に対応付けられた絶対時刻における前記第１の店舗の撮像画像と、前記第２の時刻識別子に対応付けられた絶対時刻のうち前記第１の店舗に対応付けられた絶対時刻における前記第１の店舗の撮像画像とを、画面内に同時に表示してもよい。
【００１１】
前記画像表示手段により前記画面内に同時に表示された複数の撮像画像のうち第１の撮像画像に対する回転操作を受け付ける操作受付手段を更に備え、
前記画像表示手段は、前記操作受付手段により前記回転操作が受け付けられた場合、前記画面内において、前記第１の撮像画像を回転させてもよい。
【００１２】
上記目的を達成するために、本発明の第２の観点に係る画像表示装置は、
撮像装置が設置された店舗に関する複数の撮像画像を、画面内に同時に表示する画像表示手段と、
前記画像表示手段により前記画面内に同時に表示された前記複数の撮像画像のうち第１の撮像画像に対する回転操作を受け付ける操作受付手段と、を備え、
前記画像表示手段は、前記操作受付手段により前記回転操作が受け付けられた場合、前記画面内において、前記第１の撮像画像を回転させる。
【００１３】
上記目的を達成するために、本発明の第３の観点に係る画像表示方法は、
撮像装置が設置された複数の店舗毎に絶対時刻が対応付けられた時刻識別子を受け付け、
前記時刻識別子に対応付けられた絶対時刻のうち第１の店舗に対応付けられた絶対時刻における前記第１の店舗の撮像画像を表示する。
【００１４】
上記目的を達成するために、本発明の第４の観点に係るプログラムは、
コンピュータを、
撮像装置が設置された複数の店舗の中から第１の店舗を選択する店舗選択手段、
前記複数の店舗毎に絶対時刻が対応付けられた複数の時刻識別子の中から第１の時刻識別子を選択する識別子選択手段、
前記第１の時刻識別子に対応付けられた絶対時刻のうち前記第１の店舗に対応付けられた絶対時刻における前記第１の店舗の撮像画像を表示する画像表示手段、として機能させる。
【発明の効果】
【００１５】
本発明によれば、店舗の状況を容易に把握することができる。
【図面の簡単な説明】
【００１６】
【図１】本発明の実施形態に係る画像表示システムの構成図
【図２】本発明の実施形態に係る画像表示装置の構成図
【図３】本発明の実施形態に係る画像表示装置の機能ブロック図
【図４】注目時刻定義情報の説明図
【図５】設定画面の説明図
【図６】モード１の画像表示画面の説明図
【図７】拡大画面の説明図
【図８】モード２の画像表示画面の説明図
【図９】モード３の画像表示画面の説明図
【図１０】本発明の実施形態に係る画像表示装置が実行する画像表示処理を示すフローチャート
【図１１】図１０に示す第１の画面表示処理を示すフローチャート
【図１２】モード３の仮想画面の説明図
【発明を実施するための形態】
【００１７】
（実施形態）
まず、図１を参照して、本発明の実施形態に係る画像表示システム１０００について説明する。図１に示すように、画像表示システム１０００は、画像表示装置１００と、複数の撮像装置２００と、サーバ３００と、を備える。画像表示装置１００と複数の撮像装置２００とサーバ３００とは、広域ネットワーク４００を介して、相互に接続される。画像表示システム１０００は、店舗５００に設置された撮像装置２００が生成した撮像画像（以下、適宜、「店舗５００の撮像画像」という。）を表示するシステムである。店舗５００は、開店時刻、閉店時刻などの注目すべき時刻（以下、適宜、「注目時刻」という。）が予め定められた店であれば、どのような規模の店であってもよい。店舗５００は、例えば、ショッピングモール、デパート、スーパーマーケット、コンビニエンスストア、レストランである。本実施形態では、店舗５００は、ショッピングモールであるものとする。
【００１８】
本実施形態では、１つの店舗５００に１つの撮像装置２００が設置されているものとする。本実施形態では、同一の管理者により管理される８つの店舗５００が存在し、８つの店舗５００に設置された８つの撮像装置２００が存在するものとする。管理者は、例えば、８つの店舗５００を経営する経営者、又は、経営者の指示に従って８つの店舗５００の運営を管理するスーパーバイザーである。管理者は、例えば、画像表示システム１０００により表示された８つの店舗５００の撮像画像を確認及び比較することにより、８つの店舗５００の状況を把握する。本実施形態では、管理者のことを、適宜、ユーザという。以下、適宜、８つの店舗５００を、店舗Ａ、店舗Ｂ、店舗Ｃ、店舗Ｄ、店舗Ｅ、店舗Ｆ、店舗Ｇ、店舗Ｈとして区別する。なお、図１には、理解を容易にするため、３つの店舗５００及び３つの撮像装置２００のみを示している。店舗５００の個数や撮像装置２００の個数が８つに限定されないことは勿論である。
【００１９】
画像表示システム１０００は、ユーザが表示対象の撮像画像を指定するときに、絶対時刻ではなく時刻識別子によって指定するように構成される。絶対時刻は、例えば、協定世界時を基準とする日本基準時で表す時刻であり、例えば、１０：００、２２：００などで表される時刻である。時刻識別子は、店舗５００毎に異なる可能性のある注目時刻を識別するための識別子である。時刻識別子は、店舗５００毎に絶対時刻が対応付けられた識別子である。注目時刻は、例えば、開店時刻、閉店時刻、混雑ピーク時刻、開店時刻から予め定められた時間遡った時刻（例えば、開店時刻の６０分前）、閉店時刻から予め定められた時間経過した時刻（例えば、閉店時刻の６０分後）である。
【００２０】
注目時刻は、例えば、ユーザが特に注意して確認するべき撮像画像の撮像時刻であり、店舗５００毎に異なる場合が多い。例えば、注目時刻が開店時刻である場合において、店舗５００毎に開店時刻が異なる場合、注目時刻は、店舗５００毎に異なる。かかる場合においても、ユーザは、開店時刻を絶対時刻ではなく時刻識別子を用いて指定することで、店舗５００毎に異なる開店時刻を意識せずに、店舗５００毎に異なる開店時刻の撮像画像を確認することができる。
【００２１】
また、画像表示システム１０００は、ユーザによる指示に従って、画面内に表示した撮像画像を個別に回転させるように構成される。かかる構成によれば、ユーザは、例えば、店舗５００内における出入口やレジカウンターなどの設備の位置と、撮像装置が設置される位置及び角度と、によって、この設備の撮像画像上における位置が統一されていない場合に、この設備の撮像画像上における位置を統一することができる。その結果、例えば、異なる店舗５００の撮像画像の比較が容易になると考えられる。
【００２２】
画像表示装置１００は、店舗５００の撮像画像をサーバ３００から取得して画面内に表示する装置であり、画像表示システム１０００の中核をなす装置である。画像表示装置１００は、画像表示機能と情報処理機能と通信機能とを備えていればどのような装置であってもよい。本実施形態では、画像表示装置１００は、パーソナルコンピュータであるものとする。以下、図２を参照して、画像表示装置１００の物理的な構成について説明する。
【００２３】
図２に示すように、画像表示装置１００は、ＣＰＵ（Central Processing Unit）１１、ＲＯＭ（Read Only Memory）１２、ＲＡＭ（Random Access Memory）１３、ハードディスク１４、ＲＴＣ（Real Time Clock）１５、キーボード１６、マウス１７、モニター１８、通信インターフェース１９を備える。画像表示装置１００が備える各構成要素は、バスを介して相互に接続される。
【００２４】
ＣＰＵ１１は、画像表示装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、画像表示装置１００の全体の動作を制御するためのプログラム及びデータが記憶される。ＲＡＭ１３は、ＣＰＵ１１のワークエリアとして機能する。つまり、ＣＰＵ１１は、ＲＡＭ１３にプログラム及びデータを一時的に書き込み、これらのプログラム及びデータを適宜参照する。
【００２５】
ハードディスク１４は、各種の情報を記憶する不揮発性の記憶装置である。ハードディスク１４は、例えば、画像表示処理を実行するためのアプリケーションプログラムを記憶する。このアプリケーションプログラムは、例えば、サーバ３００からダウンロードされる。ＲＴＣ１５は、計時用のデバイスである。ＲＴＣ１５は、例えば、電池を内蔵し、画像表示装置１００の電源がオフの間も計時を継続する。ＲＴＣ１５は、例えば、水晶発振子を備える発振回路を備える。キーボード１６とマウス１７とは、ユーザによる操作を検知して検知の結果を示す情報をＣＰＵ１１に供給する装置であり、画像表示装置１００のユーザインターフェースとして機能する。キーボード１６が検知する操作は、例えば、キーに対する押圧操作である。マウス１７が検知する操作は、例えば、スクロール操作、クリック操作、及び、ドラッグ操作である。
【００２６】
モニター１８は、ＣＰＵ１１による制御に従って画像を表示する装置であり、画像表示装置１００のユーザインターフェースとして機能する。具体的には、モニター１８は、通信インターフェース１９を介してサーバ３００から取得された撮像画像を画面内に表示する。通信インターフェース１９は、画像表示装置１００を、広域ネットワーク４００に接続するためのインターフェースである。画像表示装置１００は、広域ネットワーク４００を介して広域ネットワーク４００に接続されたサーバ３００と通信することが可能である。通信インターフェース１９は、例えば、ＮＩＣ（Network Interface Card）などのＬＡＮ（Local Area Network）インターフェースを備える。
【００２７】
撮像装置２００は、撮像装置２００が設置された周囲の領域を撮像し、撮像画像を生成する。撮像装置２００は、例えば、店舗５００の天井に設置されるカメラであり、店舗５００内の様子を示す撮像画像を生成する。本実施形態では、撮像装置２００は、魚眼レンズを備える魚眼カメラであるものとする。撮像装置２００が生成する撮像画像の外形は、基本的に、円形であるものとする。撮像装置２００が生成する撮像画像は、静止画像であってもよいし、動画像であってもよい。本実施形態では、撮像装置２００は、予め定められた周期（例えば、１０分）で、静止画像を生成するものとする。撮像装置２００は、広域ネットワーク４００を介して、生成した撮像画像をサーバ３００に送信する。
【００２８】
サーバ３００は、画像表示装置１００に画像表示処理に関わる各種のサービスを提供する装置である。例えば、サーバ３００は、撮像装置２００から供給された撮像画像を記憶する。また、サーバ３００は、画像表示装置１００から要求された撮像画像を、画像表示装置１００に供給する。サーバ３００は、制御部３０１、記憶部３０２、通信部３０３を備える。
【００２９】
制御部３０１は、例えば、ＣＰＵ（図示せず）、ＲＯＭ（図示せず）、ＲＡＭ（図示せず）、ＲＴＣ（図示せず）を備え、サーバ３００全体の動作を制御する。記憶部３０２は、撮像画像と、注目時刻定義情報と、アプリケーションプログラムと、を記憶する。なお、制御部３０１は、通信部３０３を介して撮像装置２００から取得した撮像画像と、撮像画像が撮像された撮像時刻と、撮像画像が撮像された店舗５００と、を対応付けて、記憶部３０２に書き込む。また、制御部３０１は、画像表示装置１００による要求に従って、記憶部３０２に記憶された、注目時刻定義情報及びアプリケーションプログラムを、通信部３０３を介して画像表示装置１００に供給する。記憶部３０２は、例えば、ハードディスク（図示せず）を備える。通信部３０３は、サーバ３００を広域ネットワーク４００に接続する機能を有する。通信部３０３は、例えば、ＮＩＣ（図示せず）を備える。広域ネットワーク４００は、例えば、インターネットである。
【００３０】
次に、図３を参照して、画像表示装置１００の機能について説明する。図３に示すように、画像表示装置１００は、機能的には、操作受付部１０１と、店舗選択部１０２と、識別子選択部１０３と、画像取得部１０４と、画像表示部１０５と、を備える。操作受付手段は、例えば、操作受付部１０１に対応する。店舗選択手段は、例えば、店舗選択部１０２に対応する。識別子選択手段は、例えば、識別子選択部１０３に対応する。画像表示手段は、例えば、画像表示部１０５に対応する。
【００３１】
操作受付部１０１は、ユーザから、店舗５００を選択する操作である店舗選択操作を受け付ける。基本的に、この店舗選択操作により選択された店舗５００の撮像画像が表示される。ここで、撮像画像が表示される店舗５００の個数は、表示モード毎に定義される。例えば、表示モードがモード１又はモード３である場合、基本的に、全ての店舗５００の撮像画像が表示される。従って、表示モードをモード１又はモード３に切り替えるモード切替操作が、全ての店舗５００を選択する店舗選択操作となる。一方、表示モードがモード２である場合、撮像画像が表示される１つの店舗５００が、店舗切替操作により切り替えられる。従って、表示モードがモード２である場合、この店舗切替操作が、店舗選択操作となる。
【００３２】
また、操作受付部１０１は、ユーザから、時刻識別子を選択する操作である識別子選択操作を受け付ける。この識別子選択操作により選択された時刻識別子に対応付けられた絶対時刻の撮像画像が表示される。ここで、表示される撮像画像の絶対時刻に対応付けられた時刻識別子の個数は、表示モード毎に定義される。例えば、表示モードがモード１である場合、識別子切替操作による切替後の１つの時刻識別子に対応付けられた絶対時刻の撮像画像が表示される。従って、表示モードがモード１である場合、この識別子切替操作が、識別子選択操作となる。一方、表示モードがモード２又はモード３である場合、基本的に、設定画面における設定操作で設定された全ての時刻識別子に対応付けられた絶対時刻の撮像画像が表示される。従って、表示モードがモード２又はモード３である場合、設定画面における設定操作が、識別子選択操作となる。操作受付部１０１の機能は、例えば、キーボード１６又はマウス１７の機能により実現される。
【００３３】
店舗選択部１０２は、撮像装置２００が設置された複数の店舗５００の中から第１の店舗を選択する。店舗選択部１０２は、例えば、操作受付部１０１により受け付けられた店舗選択操作に従って、第１の店舗を選択する。第１の店舗は、複数の店舗５００のうちのいずれか１つの店舗である。店舗選択部１０２の機能は、例えば、ＣＰＵ１１の機能により実現される。
【００３４】
識別子選択部１０３は、複数の店舗５００毎に絶対時刻が対応付けられた複数の時刻識別子の中から第１の時刻識別子を選択する。識別子選択部１０３は、例えば、操作受付部１０１により受け付けられた識別子選択操作に従って、第１の時刻識別子を選択する。第１の時刻識別子は、複数の時刻識別子のうちのいずれか１つの時刻識別子である。識別子選択部１０３の機能は、例えば、ＣＰＵ１１の機能により実現される。
【００３５】
画像取得部１０４は、第１の時刻識別子に対応付けられた絶対時刻のうち第１の店舗に対応付けられた絶対時刻における第１の店舗の撮像画像を取得する。例えば、第１の時刻識別子が開店時刻であり、第１の店舗が店舗Ａであり、店舗Ａの開店時刻が１０：００である場合、画像取得部１０４は、１０：００における店舗Ａの撮像画像を取得する。画像取得部１０４は、サーバ３００から撮像画像を取得する。画像取得部１０４の機能は、例えば、ＣＰＵ１１と通信インターフェース１９とが協働することにより実現される。
【００３６】
画像表示部１０５は、第１の時刻識別子に対応付けられた絶対時刻のうち第１の店舗に対応付けられた絶対時刻における第１の店舗の撮像画像を表示する。つまり、画像表示部１０５は、画像取得部１０４により取得された撮像画像を表示する。画像表示部１０５の機能は、例えば、ＣＰＵ１１とモニター１８とが協働することにより実現される。
【００３７】
ここで、複数の時刻識別子には、開店時刻を示す識別子と、混雑ピーク時刻を示す識別子と、閉店時刻を示す識別子と、開店時刻、混雑ピーク時刻、又は閉店時刻から予め定められた時間遡った時刻又は経過した時刻を示す識別子と、のうちの少なくとも１つの識別子が含まれる。
【００３８】
また、店舗選択部１０２は、複数の店舗の中から第２の店舗を更に選択することができる。第２の店舗は、複数の店舗５００のうちの第２の店舗以外のいずれか１つの店舗である。ここで、画像取得部１０４は、第１の時刻識別子に対応付けられた絶対時刻のうち第１の店舗に対応付けられた絶対時刻における第１の店舗の撮像画像と、第１の時刻識別子に対応付けられた絶対時刻のうち第２の店舗に対応付けられた絶対時刻における第２の店舗の撮像画像とを取得する。そして、画像表示部１０５は、画像取得部１０４により取得された、第１の店舗の撮像画像と第２の店舗の撮像画像とを、画面内に同時に表示する。
【００３９】
なお、店舗選択部１０２は、複数の店舗の中から３つ以上の店舗５００を選択してもよい。この場合、画像取得部１０４は、３つ以上の店舗５００の撮像画像を取得し、画像表示部１０５は、画像取得部１０４により取得された３つ以上の店舗５００の撮像画像を、画面内に同時に表示する。
【００４０】
また、識別子選択部１０３は、複数の時刻識別子の中から第２の時刻識別子を更に選択することができる。ここで、画像取得部１０４は、第１の時刻識別子に対応付けられた絶対時刻のうち第１の店舗に対応付けられた絶対時刻における第１の店舗の撮像画像と、第２の時刻識別子に対応付けられた絶対時刻のうち第１の店舗に対応付けられた絶対時刻における第１の店舗の撮像画像とを取得する。そして、画像表示部１０５は、画像取得部１０４により取得された、第１の店舗の２つの撮像時刻における２つの撮像画像を、画面内に同時に表示する。
【００４１】
なお、識別子選択部１０３は、複数の時刻識別子の中から３つ以上の時刻識別子を選択してもよい。この場合、画像取得部１０４は、第１の店舗の３つ以上の撮像時刻における３つ以上の撮像画像を取得し、画像表示部１０５は、画像取得部１０４により取得された３つ以上の撮像時刻における３つ以上の撮像画像を、画面内に同時に表示する。
【００４２】
操作受付部１０１は、画像表示部１０５により画面内に同時に表示された複数の撮像画像のうち第１の撮像画像に対する回転操作を受け付けることができる。第１の撮像画像は、画面内に同時に表示された複数の撮像画像のうちいずれか１つの撮像画像である。一方、画像表示部１０５は、操作受付部１０１により回転操作が受け付けられた場合、画面内において、第１の撮像画像を回転させる。画面内において第１の撮像画像を回転させることは、画面内における第１の撮像画像の表示角度を変化させることを意味する。
【００４３】
次に、図４を参照して、注目時刻定義情報について説明する。注目時刻定義情報は、注目時刻を定義する情報であり、時刻識別子と店舗５００毎の絶対時刻とが対応付けられた情報である。図４には、時刻識別子として、開店時刻と、混雑ピーク時刻と、閉店時刻とが設定された例を示している。開店時刻は、店舗５００が開店する時刻である。混雑ピーク時刻は、店舗５００が最も混雑する時刻であり、例えば、店舗５００への来客者が最多となる時刻である。閉店時刻は、店舗５００が閉店する時刻である。
【００４４】
時刻識別子により示される注目時刻における撮像画像は、確認、分析、比較等する意義が大きい撮像画像である。注目時刻は、店舗５００毎に異なっていてもよいし、一部の店舗５００で同じであってもよい。図４には示していないが、注目時刻定義情報において、時刻識別子に、開店時刻、混雑ピーク時刻、又は閉店時刻から予め定められた時間遡った時刻又は経過した時刻（例えば、開店時刻の６０分前、閉店時刻の９０分後）が設定されていてもよい。
【００４５】
次に、図５を参照して、画像表示装置１００が表示する設定画面について説明する。設定画面は、表示対象とする注目時刻と、表示モードと、を設定するための画面である。図５において、設定画面は、画面６００である。図５に示すように、画面６００には、チェックボックス６１１，６１２，６１３，６２１，６２２，６２３，６３１，６３２，６３３と、テキストボックス６１４，６１５，６２４，６２５，６３４，６３５と、ラジオボタン６４１，６４２，６４３と、が設けられる。
【００４６】
チェックボックス６１１は、開店時刻における撮像画像を表示させるときにチェックされるべきチェックボックスである。チェックボックス６１２は、開店時刻前の時刻における撮像画像を表示させるときにチェックされるべきチェックボックスである。チェックボックス６１３は、開店時刻後の時刻における撮像画像を表示させるときにチェックされるべきチェックボックスである。テキストボックス６１４は、開店時刻から遡る時刻を１０分単位で指定するためのテキストボックスである。テキストボックス６１５は、開店時刻から経過した時刻を１０分単位で指定するためのテキストボックスである。
【００４７】
同様に、チェックボックス６２１，６２２，６２３は、それぞれ、混雑ピーク時刻、混雑ピーク時刻前の時刻、混雑ピーク時刻後の時刻における撮像画像を表示させるときにチェックされるべきチェックボックスである。テキストボックス６２４，６２５は、それぞれ、混雑ピーク時刻から遡る時刻、混雑ピーク時刻から経過した時刻を１０分単位で指定するためのテキストボックスである。同様に、チェックボックス６３１，６３２，６３３は、それぞれ、閉店時刻、閉店時刻前の時刻、閉店時刻後の時刻における撮像画像を表示させるときにチェックされるべきチェックボックスである。テキストボックス６３４，６３５は、それぞれ、閉店時刻から遡る時刻、閉店時刻から経過した時刻を１０分単位で指定するためのテキストボックスである。
【００４８】
ラジオボタン６４１は、表示モードとしてモード１を選択するときに押圧されるべきボタンである。ラジオボタン６４２は、表示モードとしてモード２を選択するときに押圧されるべきボタンである。ラジオボタン６４３は、表示モードとしてモード３を選択するときに押圧されるべきボタンである。モード１は、全ての店舗５００の撮像画像を、注目時刻別に表示する表示モードである。モード２は、予め設定された注目時刻における撮像画像を、店舗５００別に表示する表示モードである。モード３は、予め設定された注目時刻における全ての店舗５００の撮像画像を、一覧表示する表示モードである。
【００４９】
以下、図６を参照して、モード１の画像表示画面について説明する。モード１は、特定の注目時刻における撮像画像を確認するのに好適な表示モードである。図６において、モード１の画像表示画面は、画面７００である。図６に示すように、画面７００には、ボタン７０１，７０２，７０３が設けられ、画像７１１，７１２，７１３，７１４，７１５，７１６，７１７，７１８が表示される。
【００５０】
図６に示す例では、画面７００に、開店時刻における全ての店舗５００の撮像画像が表示されている。つまり、画面７００には、店舗Ａの開店時刻における店舗Ａの撮像画像である画像７１１と、店舗Ｂの開店時刻における店舗Ｂの撮像画像である画像７１２と、店舗Ｃの開店時刻における店舗Ｃの撮像画像である画像７１３と、店舗Ｄの開店時刻における店舗Ｄの撮像画像である画像７１４と、店舗Ｅの開店時刻における店舗Ｅの撮像画像である画像７１５と、店舗Ｆの開店時刻における店舗Ｆの撮像画像である画像７１６と、店舗Ｇの開店時刻における店舗Ｇの撮像画像である画像７１７と、店舗Ｈの開店時刻における店舗Ｈの撮像画像である画像７１８と、が表示されている。
【００５１】
ボタン７０１は、表示対象の注目時刻を１段階進めることを指示するためのボタンである。ボタン７０２は、表示対象の注目時刻を１段階戻すことを指示するためのボタンである。ボタン７０３は、表示対象の注目時刻を予め定められた周期で（例えば、１０秒毎に）、１段階ずつ自動で進める自動再生を実行すること、又は、この自動再生を中止することを指示するためのボタンである。なお、ボタン７０３は、自動再生を実行しているときと、自動再生を実行していないときとで、異なる体裁（例えば、異なるアイコン）となることが好適である。
【００５２】
図５に示す設定画面では、表示対象の注目時刻は、早い順に、開店時刻の６０分前、開店時刻、開店時刻の１０分後、混雑ピーク時刻、混雑ピーク時刻の６０分後、閉店時刻の３０分前、閉店時刻、閉店時刻の９０分後の８つの注目時刻である。そこで、ボタン７０１が押圧される毎に、この順序で１つ後の注目時刻に進む。例えば、表示対象の注目時刻が開店時刻であるときにボタン７０１が押圧されると、表示対象の注目時刻が、開店時刻から開店時刻の１０分後に切り替わる。また、ボタン７０２が押圧される毎に、この順序で１つ前の注目時刻に戻る。例えば、表示対象の注目時刻が開店時刻であるときにボタン７０２が押圧されると、表示対象の注目時刻が、開店時刻から開店時刻の６０分前に切り替わる。
【００５３】
なお、自動再生が実行される間、予め定められた周期で（例えば、１０秒毎に）、ボタン７０１が押圧されたときと同様の処理が実行される。また、表示対象の８つの注目時刻は、本日又は前日における注目時刻であり、最新の表示対象の注目時刻から遡った８つの表示対象の注目時刻となる。
【００５４】
次に、図７を参照して、拡大画面について説明する。拡大画面は、例えば、画像表示画面内における１つの撮像画像を拡大表示する画面であり、この１つの撮像画像を回転させることの指示を受け付ける画面である。拡大画面は、１つの撮像画像を注意深く観察したい場合、又は、１つの撮像画像を画像表示画面内において所望の回転角だけ回転させたい場合に、表示させる画面である。拡大画面は、例えば、画像表示画面内において１つの撮像画像をクリックした場合に表示される。図７において、画面７２０は、画面７００内における画像７１２を選択したときに表示される拡大画面である。画像７１２の選択は、例えば、画像７１２をクリックすることにより実現される。
【００５５】
図７に示すように、画面７２０には、画像７２１が表示され、ボタン７２２，７２３，７２４，７２５が設けられる。画像７２１は、画像７１２を拡大した画像である。画像７２１は、画像７２６と、画像７２７と、画像７２８とを含む。画像７２６は、店舗Ｂの出入口を表す画像である。画像７２７は、店舗Ｂのレジカウンターを表す画像である。画像７２８は、店舗Ｂの店員を表す画像である。
【００５６】
ボタン７２２は、画像７２１を画面７２０内において時計回りに予め定められた角度（例えば、１５度）だけ回転させることの指示を受け付けるボタンである。ボタン７２３は、画像７２１を画面７２０内において反時計回りに予め定められた角度（例えば、１５度）だけ回転させることの指示を受け付けるボタンである。なお、画面７２０内における画像７２１の回転は、画面７００内における画像７１２の回転として反映される。
【００５７】
ここで、撮像画像の表示角度、つまり、店舗５００に設置された設備の撮像画像内における位置は、全ての店舗５００で統一されていることが望ましい。そこで、拡大画面において撮像画像を適切に回転させることにより、この設備の撮像画像内における位置を統一することが好適である。例えば、図６に示す画像表示画面では、店舗Ａ、店舗Ｃ、店舗Ｄ、店舗Ｆ、店舗Ｇ、店舗Ｈでは、左側に出入口が配置され、下側にレジカウンターが配置され、店舗Ｂでは、上側に出入口が配置され、左側にレジカウンターが配置され、店舗Ｅでは、下側に出入口が配置され、右側にレジカウンターが配置されている。
【００５８】
そこで、店舗Ｂの撮像画像である画像７１２と、店舗Ｅの撮像画像である画像７１５とを、拡大画面において回転させることが望ましい。例えば、店舗Ｂに関しては、拡大画面においてボタン７２３を６回押圧することにより画像７１２を反時計回りに９０度回転させることが望ましい。また、店舗Ｅに関しては、拡大画面においてボタン７２２を６回押圧することにより画像７１５を時計回りに９０度回転させることが望ましい。このような処理によれば、画像表示画面内における全ての店舗５００の撮像画像において、左側に出入口が配置され、下側にレジカウンターが配置される。この場合、店舗５００間での撮像画像の比較が容易になることが期待できる。なお、本実施形態では、出入口とレジカウンターとの双方の設備の配置が統一される例を示したが、出入口とレジカウンターとのうちの少なくとも一方の設備が統一されれば、撮像画像の比較が容易になる効果が期待できる。
【００５９】
ボタン７２４は、拡大表示する撮像画像を次の撮像画像に切り替えることの指示を受け付けるボタンである。ボタン７２５は、拡大表示する撮像画像を前の撮像画像に切り替えることの指示を受け付けるボタンである。例えば、店舗Ｂの撮像画像である画像７１２が拡大画面に拡大表示されているときに、ボタン７２４が押圧されると、店舗Ｃの撮像画像である画像７１３が拡大画面に拡大表示される。一方、例えば、店舗Ｂの撮像画像である画像７１２が拡大画面に拡大表示されているときに、ボタン７２５が押圧されると、店舗Ａの撮像画像である画像７１１が拡大画面に拡大表示される。
【００６０】
次に、図８を参照して、モード２の画像表示画面について説明する。モード２は、特定の店舗５００における撮像画像を確認するのに好適な表示モードである。図８において、モード２の画像表示画面は、画面７３０である。図８に示すように、画面７３０には、ボタン７６１，７６２，７６３が設けられ、画像７３１，７３２，７３３，７３４，７３５，７３６，７３７，７３８が表示される。
【００６１】
図８に示す例では、画面７３０に、設定画面で設定された全ての注目時刻における店舗Ａの撮像画像が表示されている。つまり、画面７３０には、店舗Ａの開店時刻１０分後における撮像画像である画像７３１と、店舗Ａの開店時刻における撮像画像である画像７３２と、店舗Ａの開店時刻６０分前における撮像画像である画像７３３と、店舗Ａの閉店時刻９０分後における撮像画像である画像７３４と、店舗Ａの閉店時刻における撮像画像である画像７３５と、店舗Ａの閉店時刻３０分前における撮像画像である画像７３６と、店舗Ａの混雑ピーク時刻６０分後における撮像画像である画像７３７と、店舗Ａの混雑ピーク時刻における撮像画像である画像７３８と、が表示されている。なお、撮像画像は、撮像時刻が現在時刻に近いものから順に並べて表示されている。
【００６２】
ボタン７６１は、表示対象の店舗５００を１段階進めることを指示するためのボタンである。ボタン７６２は、表示対象の店舗５００を１段階戻すことを指示するためのボタンである。ボタン７６３は、表示対象の店舗５００を予め定められた周期で（例えば、１０秒毎に）、１段階ずつ自動で進める自動再生を実行すること、又は、この自動再生を中止することを指示するためのボタンである。例えば、店舗Ａの撮像画像が表示された状態でボタン７６１が押圧されると、店舗Ｂの撮像画像が表示された状態に切り替わる。また、店舗Ａの撮像画像が表示された状態でボタン７６２が押圧されると、店舗Ｈの撮像画像が表示された状態に切り替わる。
【００６３】
次に、図９を参照して、モード３の画像表示画面について説明する。モード３は、設定された注目時刻における全ての店舗５００の撮像画像を速やかに確認するのに好適な表示モードである。図９において、モード３の画像表示画面は、画面７４０である。図９に示すように、画面７４０には、ボタン７４１，７４２，７４３，７４４が設けられ、画像７５１，７５２，７５３，７５４，７５５，７５６，７５７，７５８，７５９が表示される。
【００６４】
図９に示す例では、画面７４０に、設定画面で設定された注目時刻のうちの一部の注目時刻における全ての店舗５００のうちの一部の店舗５００の撮像画像が表示されている。具体的には、画面７４０には、店舗Ａの開店時刻１０分後における撮像画像である画像７５１と、店舗Ａの開店時刻における撮像画像である画像７５２と、店舗Ａの開店時刻６０分前における撮像画像である画像７５３と、店舗Ｂの開店時刻１０分後における撮像画像である画像７５４と、店舗Ｂの開店時刻における撮像画像である画像７５５と、店舗Ｂの開店時刻６０分前における撮像画像である画像７５６と、店舗Ｃの開店時刻１０分後における撮像画像である画像７５７と、店舗Ｃの開店時刻における撮像画像である画像７５８と、店舗Ｃの開店時刻６０分前における撮像画像である画像７５９と、が表示されている。
【００６５】
ボタン７４１は、注目時刻を１段階進めることを指示するためのボタンである。ボタン７４２は、注目時刻を１段階戻すことを指示するためのボタンである。例えば、開店時刻、開店時刻６０分前、及び、閉店時刻９０分後の撮像画像が表示された状態でボタン７４１が押圧されると、開店時刻６０分前、閉店時刻９０分後、及び、閉店時刻の撮像画像が表示された状態に切り替わる。また、例えば、開店時刻、開店時刻６０分前、及び、閉店時刻９０分後の撮像画像が表示された状態でボタン７４２が押圧されると、開店時刻１０分後、開店時刻、及び、開店時刻６０分前の撮像画像が表示された状態に切り替わる。
【００６６】
ボタン７４３は、表示対象の店舗５００を１段階進めることを指示するためのボタンである。ボタン７４４は、表示対象の店舗５００を１段階戻すことを指示するためのボタンである。例えば、店舗Ｂ、店舗Ｃ、及び、店舗Ｄの撮像画像が表示された状態でボタン７４３が押圧されると、店舗Ｃ、店舗Ｄ、及び、店舗Ｅの撮像画像が表示された状態に切り替わる。また、例えば、店舗Ｂ、店舗Ｃ、及び、店舗Ｄの撮像画像が表示された状態でボタン７４４が押圧されると、店舗Ａ、店舗Ｂ、及び、店舗Ｃの撮像画像が表示された状態に切り替わる。このように、モード３の画像表示画面では、画面を縦方向及び横方向にスクロールさせて、表示対象の店舗５００及び表示対象の注目時刻を切り替える。なお、表示すべき撮像画像が全て画面内に収まる場合、画面を縦方向及び横方向にスクロールさせる必要はない。
【００６７】
次に、図１０に示すフローチャートを参照して、画像表示装置１００が実行する画像表示処理について説明する。画像表示処理は、画像表示装置１００の電源が投入されると開始される。
【００６８】
まず、ＣＰＵ１１は、画像表示指示操作があるか否かを判別する（ステップＳ１０１）。例えば、ＣＰＵ１１は、キーボード１６又はマウス１７に対して、画像表示を指示する操作がユーザによりなされたか否かを判別する。ＣＰＵ１１は、画像表示指示操作がないと判別すると（ステップＳ１０１：ＮＯ）、ステップＳ１０１に処理を戻す。ＣＰＵ１１は、画像表示指示操作があると判別すると（ステップＳ１０１：ＹＥＳ）、設定画面表示処理を実行する（ステップＳ１０２）。
【００６９】
具体的には、ＣＰＵ１１は、図５に示す設定画面をモニター１８に表示させ、表示する注目時刻の設定や表示モードの設定を受け付ける。ＣＰＵ１１は、表示する注目時刻の設定の内容を示す情報（以下、適宜、「注目時刻設定情報」という。）と、表示モードの設定の内容を示す情報（以下、適宜、「モード設定情報」という。）と、を含む設定情報を、ＲＡＭ１３又はハードディスク１４に書き込み、設定画面の表示を終了する。ＣＰＵ１１は、ステップＳ１０２の処理を完了すると、注目時刻定義情報を取得する（ステップＳ１０３）。
【００７０】
具体的には、ＣＰＵ１１は、通信インターフェース１９を介して、サーバ３００に注目時刻定義情報を要求する。そして、ＣＰＵ１１は、通信インターフェース１９を介して、サーバ３００から注目時刻定義情報を取得する。ＣＰＵ１１は、取得した注目時刻定義情報を、ＲＡＭ１３又はハードディスク１４に書き込む。ＣＰＵ１１は、ステップＳ１０３の処理を完了すると、表示モードがモード１であるか否かを判別する（ステップＳ１０４）。
【００７１】
具体的には、ＣＰＵ１１は、ＲＡＭ１３又はハードディスク１４に記憶されたモード設定情報に基づいて、表示モードがモード１であるか否かを判別する。ＣＰＵ１１は、表示モードがモード１であると判別すると（ステップＳ１０４：ＹＥＳ）、第１の画面表示処理を実行する（ステップＳ１０５）。以下、図１１を参照して、第１の画面表示処理について詳細に説明する。第１の画面表示処理は、基本的に、第１のモードの画像表示画面である画面７００を表示し、各種の操作を受け付ける処理である。
【００７２】
まず、ＣＰＵ１１は、表示対象の撮像画像を特定する（ステップＳ２０１）。例えば、ＣＰＵ１１は、ＲＡＭ１３又はハードディスク１４に記憶された注目時刻設定情報及び注目時刻定義情報に基づいて、表示対象となる全ての撮像画像を特定する。なお、表示対象の撮像画像は、注目時刻から特定される絶対時刻と店舗５００を示す店舗識別子とにより特定される。ＣＰＵ１１は、ステップＳ２０１の処理を完了すると、表示対象の撮像画像を取得する（ステップＳ２０２）。
【００７３】
具体的には、ＣＰＵ１１は、通信インターフェース１９を介してサーバ３００に、表示対象となる全ての撮像画像を要求する。この要求には、例えば、注目時刻から特定される絶対時刻と店舗５００を示す店舗識別子とが含まれる。そして、ＣＰＵ１１は、通信インターフェース１９を介して、サーバ３００から表示対象となる全ての撮像画像を取得する。ＣＰＵ１１は、取得した撮像画像を、ＲＡＭ１３又はハードディスク１４に書き込む。ＣＰＵ１１は、ステップＳ２０２の処理を完了すると、画像表示画面を表示する（ステップＳ２０３）。
【００７４】
具体的には、ＣＰＵ１１は、ＲＡＭ１３又はハードディスク１４に記憶された、注目時刻設定情報、モード設定情報及び撮像画像に基づいて、第１のモードの画像表示画面である画面７００をモニター１８に表示させる。ＣＰＵ１１は、ステップＳ２０３の処理を完了すると、表示切替操作があるか否かを判別する（ステップＳ２０４）。
【００７５】
具体的には、ＣＰＵ１１は、キーボード１６又はマウス１７により、ボタン７０１、ボタン７０２又はボタン７０３に対する操作がなされたか否かを判別する。ＣＰＵ１１は、表示切替操作があると判別すると（ステップＳ２０４：ＹＥＳ）、画像表示画面内の表示内容を切り替える（ステップＳ２０５）。例えば、ＣＰＵ１１は、押圧されたボタンの種類に応じて、表示中の撮像画像の撮像時刻に対応する注目時刻よりも１段階前の注目時刻又は１段階後の注目時刻の撮像画像を表示する。
【００７６】
ＣＰＵ１１は、表示切替操作がないと判別した場合（ステップＳ２０４：ＮＯ）、又は、ステップＳ２０５の処理を完了した場合、拡大指示操作があるか否かを判別する（ステップＳ２０６）。例えば、ＣＰＵ１１は、キーボード１６又はマウス１７により、いずれかの撮像画像に対する選択操作がなされたか否かを判別する。ＣＰＵ１１は、拡大指示操作があると判別すると（ステップＳ２０６：ＹＥＳ）、拡大画面表示処理を実行する（ステップＳ２０７）。拡大画面表示処理は、基本的に、拡大画面である画面７２０を表示し、拡大画面において回転操作を受け付ける処理である。
【００７７】
ＣＰＵ１１は、ステップＳ２０７の処理を完了すると、回転指示操作がなされたか否かを判別する（ステップＳ２０８）。具体的には、ＣＰＵ１１は、拡大画面の表示中にボタン７２２又はボタン７２３に対する操作がなされ、拡大画面内において画像７２１が回転した状態に変更されたか否かを判別する。ＣＰＵ１１は、回転指示操作がなされたと判別すると（ステップＳ２０８：ＹＥＳ）、画像表示画面内において撮像画像を回転させる（ステップＳ２０９）。つまり、ＣＰＵ１１は、拡大画面での撮像画像の回転を、画像表示画面に反映させる。
【００７８】
ＣＰＵ１１は、拡大指示操作がないと判別した場合（ステップＳ２０６：ＮＯ）、回転指示操作がないと判別した場合（ステップＳ２０８：ＮＯ）、又は、ステップＳ２０９の処理を完了した場合、画像表示終了指示操作があるか否かを判別する（ステップＳ２１０）。例えば、ＣＰＵ１１は、キーボード１６又はマウス１７に対して、画像表示の終了を指示する操作がユーザによりなされたか否かを判別する。
【００７９】
ＣＰＵ１１は、画像表示終了指示操作がないと判別すると（ステップＳ２１０：ＮＯ）、ステップＳ２０４に処理を戻す。ＣＰＵ１１は、画像表示終了指示操作があると判別すると（ステップＳ２１０：ＹＥＳ）、画像表示画面の表示を終了する（ステップＳ２１１）。ＣＰＵ１１は、ステップＳ２１１の処理を完了すると、第１の画面表示処理を完了する。ＣＰＵ１１は、ステップＳ１０５の第１の画面表示処理を完了すると、ステップＳ１０１に処理を戻す。
【００８０】
ＣＰＵ１１は、表示モードがモード１ではないと判別すると（ステップＳ１０４：ＮＯ）、表示モードがモード２であるか否かを判別する（ステップＳ１０６）。ＣＰＵ１１は、表示モードがモード２であると判別すると（ステップＳ１０６：ＹＥＳ）、第２の画面表示処理を実行する（ステップＳ１０７）。ＣＰＵ１１は、表示モードがモード２でないと判別すると（ステップＳ１０６：ＮＯ）、第３の画面表示処理を実行する（ステップＳ１０８）。
【００８１】
第２の画面表示処理は、基本的に、第２のモードの画像表示画面である画面７３０を表示し、各種の操作を受け付ける処理である。第３の画面表示処理は、基本的に、第３のモードの画像表示画面である画面７４０を表示し、各種の操作を受け付ける処理である。第２の画面表示処理及び第３の画面表示処理は、基本的には、第１の画面表示処理と同様であるため詳細な説明は省略する。ＣＰＵ１１は、ステップＳ１０７の処理又はステップＳ１０８の処理を完了すると、ステップＳ１０１に処理を戻す。
【００８２】
以上説明したように、本実施形態では、表示させたい撮像画像の撮像時刻が、絶対時刻ではなく、店舗毎に絶対時刻が対応付けられた時刻識別子により指定される。従って、本実施形態によれば、ユーザは、店舗５００毎の注目時刻を意識することなく、注目時刻における各店舗５００の撮像画像を表示させることができる。このため、本実施形態によれば、店舗５００の状況を容易に把握することができる。
【００８３】
また、本実施形態では、同一の時刻識別子により特定される異なる店舗５００の撮像画像が、画面内に同時に表示される。従って、本実施形態によれば、ユーザは、注目時刻における複数の店舗５００の様子を同時に把握することができる。
【００８４】
また、本実施形態では、同一の店舗５００における異なる時刻識別子により特定される異なる注目時刻における撮像画像が、画面内に同時に表示される。従って、本実施形態によれば、ユーザは、注目すべき店舗５００の複数の注目時刻における様子を同時に把握することができる。
【００８５】
また、本実施形態では、ユーザによる回転操作に従って、画像表示画面上に表示される撮像画像の表示角度が個別に調整される。従って、本実施形態によれば、ユーザは、画像表示画面上に表示される撮像画像を、容易に、確認、比較、及び、分析することができる。
【００８６】
（変形例）
以上、本発明の実施形態を説明したが、本発明を実施するにあたっては、種々の形態による変形及び応用が可能である。本発明において、上記実施形態において説明した構成、機能、動作のどの部分を採用するのかは任意である。また、本発明において、上述した構成、機能、動作のほか、更なる構成、機能、動作が採用されてもよい。
【００８７】
実施形態では、画像表示装置１００が、注目時刻定義情報と注目時刻設定情報とから、表示対象の撮像画像を特定する例について説明した。サーバ３００が、注目時刻定義情報と注目時刻設定情報とから、表示対象の撮像画像を特定してもよい。この場合、画像表示装置１００がサーバ３００から注目時刻定義情報を取得する代わりに、サーバ３００が画像表示装置１００から注目時刻設定情報を取得する。
【００８８】
実施形態では、パーソナルコンピュータが画像表示装置１００として採用され、一度に多くの撮像画像を表示する画像表示画面が提示される例について説明した。本発明において、スマートフォンである画像表示装置１２０が採用されてもよい。この場合、一度に多くの撮像画像を表示する画像表示画面を提示すると、撮像画像が小さくなるため望ましくない。このため、この場合、一度に多くの撮像画像を表示する画像表示画面の一部が提示されることが好適である。
【００８９】
例えば、図１２に示すような仮想画面を想定する。図１２において、仮想画面は、画面７６０である。画面７６０は、画面７４０とは異なり、表示領域をスクロールするためのボタン７４１，７４２，７４３，７４４を備えず、全ての撮像画像を含む仮想的な画面である。画像表示装置１２０が備えるタッチスクリーン１２１は、画面７６０に含まれる領域のうち、画面７６０に画像表示装置１２０を重ねたときにタッチスクリーン１２１と重なる領域における画像を、タッチスクリーン１２１に表示する。そして、タッチスクリーン１２１に対するスライド操作により、画像表示装置１２０の位置がスライドし、タッチスクリーン１２１に表示される画像がスライドするように構成される。かかる構成によれば、表示領域が小さくても、ユーザは、多くの撮像画像を容易に確認することができる。
【００９０】
実施形態では、撮像装置２００が静止画像を生成する周期が１０分である例について説明した。撮像装置２００が静止画像を生成する周期は、適宜、調整が可能であり、例えば、１秒、１０秒、１分、５分、３０分、６０分であってもよい。また、実施形態では、撮像装置２００が生成する撮像画像が静止画像である例について説明した。撮像装置２００が生成する撮像画像が動画像であってもよい。この場合、画像表示装置には、生成された動画像から抽出される静止画像であってもよいし、生成された動画像から抽出される比較的短い時間分（例えば、数秒から数分程度の時間分）の動画像であってもよい。
【００９１】
実施形態では、外形が円形である撮像画像が、変形されずに画像表示装置に表示される例について説明した。外形が円形である撮像画像が、縦方向又は横方向に圧縮されて、画像表示装置に表示されてもよい。実施形態では、撮像装置２００が魚眼レンズを有する魚眼カメラである例について説明した。撮像装置２００が広角レンズを有する広角カメラであってもよい。
【００９２】
実施形態では、撮像画像を回転させるための回転操作を受け付ける画面が、拡大画面である例について説明した。回転操作を受け付ける画面が、拡大画面ではなく、画像表示画面であってもよい。また、１回の回転操作で回転する回転角度は、１５度に限定されず、例えば、１度、５度、１０度、３０度、４５度、９０度であってもよい。実施形態では、表示モードがモード１であるときに拡大画面が表示される例について説明した。表示モードがモード２又はモード３であるときに拡大画面が表示されてもよい。
【００９３】
実施形態では、全ての店舗５００の撮像画像が、画像表示画面に表示される例について説明した。全ての店舗５００のうちの一部の店舗５００の撮像画像が、画像表示画面に表示されてもよい。この場合、例えば、設定画面において、撮像画像を表示させる店舗５００が指定されればよい。
【００９４】
実施形態では、表示される全ての撮像画像の撮像時刻が、時刻識別子により指定される例について説明した。表示される一部の撮像画像の撮像時刻が、絶対時刻により指定されてもよい。実施形態では、時刻識別子が、開店時刻、混雑ピーク時刻、閉店時刻などを示す識別子である例について説明した。時刻識別子が、ショッピングモールにおけるイベント開始時刻、コンビニエンスストアにおける商品搬入時刻、レストランにおける朝食提供開始時刻やランチ提供開始時刻などを示してもよい。
【００９５】
本発明に係る画像表示装置１００の動作を規定する動作プログラムを既存のパーソナルコンピュータや情報端末装置に適用することで、当該パーソナルコンピュータ等を本発明に係る画像表示装置１００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００９６】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００９７】
１１  ＣＰＵ、１２  ＲＯＭ、１３  ＲＡＭ、１４  ハードディスク、１５  ＲＴＣ、１６  キーボード、１７  マウス、１８  モニター、１９  通信インターフェース、１００，１２０  画像表示装置、１０１  操作受付部、１０２  店舗選択部、１０３  識別子選択部、１０４  画像取得部、１０５  画像表示部、１２１  タッチスクリーン、２００  撮像装置、３００  サーバ、３０１  制御部、３０２  記憶部、３０３  通信部、４００  広域ネットワーク、５００  店舗、６００，７００，７２０，７３０，７４０，７６０  画面、６１１，６１２，６１３，６２１，６２２，６２３，６３１，６３２，６３３  チェックボックス、６１４，６１５，６２４，６２５，６３４，６３５  テキストボックス、６４１，６４２，６４３  ラジオボタン、７０１，７０２，７０３，７２２，７２３，７２４，７２５，７４１，７４２，７４３，７４４，７６１，７６２，７６３  ボタン、７１１，７１２，７１３，７１４，７１５，７１６，７１７，７１８，７２１，７２６，７２７，７２８，７３１，７３２，７３３，７３４，７３５，７３６，７３７，７３８，７５１，７５２，７５３，７５４，７５５，７５６，７５７，７５８，７５９  画像、１０００  画像表示システム
【図１】
2019134365.tif 000003
【図２】
2019134365.tif 000004
【図３】
2019134365.tif 000005
【図４】
2019134365.tif 000006
【図５】
2019134365.tif 000007
【図６】
2019134365.tif 000008
【図７】
2019134365.tif 000009
【図８】
2019134365.tif 000010
【図９】
2019134365.tif 000011
【図１０】
2019134365.tif 000012
【図１１】
2019134365.tif 000013
【図１２】
2019134365.tif 000014